(57)【要約】【課題】住宅施工の設計段階での揮発性有機化合物（ＶＯＣ）の発生量推移のシミュレーションを可能とする設計支援システムを提供する。【解決手段】処理端末装置２は、入力した設計図面４０から３次元画像データを生成し（ステップ８０１、８０２）、３次元の立体間取り４６を表示する（ステップ８０３）。処理端末装置２は、設計図面４０より、個々の部材の使用量、空気循環量等を算出し、部材ＶＯＣデータベース４を用いて、住宅施工の環境条件に基づいた、ＴＶＯＣ、各化学物質のＶＯＣの発生量を算出し、ＶＯＣデータ表示画面４７を表示する（ステップ８０５）。ホルムアルデヒドのＶＯＣ濃度４８−１が基準値超える場合（ステップ８０６）、ホルムアルデヒドのＶＯＣ発生量を低減するような設計変更を行う（ステップ８０８）。【選択図】　図８
2004110468.tif 000002
【特許請求の範囲】
【請求項１】
住宅設計を支援するシステムであって、
建築部材毎に、環境条件に応じて測定した建築部材からの揮発性有機化合物発生量を保持するデータベースと、
設計図面を入力する入力手段と、
住宅施工後の揮発性有機化合物発生量を推定するシミュレーション手段と、
を具備し、
前記シミュレーション手段は、
前記設計図面より前記建築部材毎の使用量を算出し、
前記設計図面より前記環境条件を算出し、
前記データベースから、前記使用量と、前記環境条件に基づいて、前記揮発性有機化合物発生量を積算することを特徴とする設計支援システム。
【請求項２】
クライアントの端末装置と、サーバと、がネットワークを介して接続されシステムであって、
前記サーバは、
建築部材毎に、環境条件に応じて測定した建築部材からの揮発性有機化合物発生量を保持するデータベースと、
を具備し、
前記端末装置は、
設計図面を入力する入力手段と、
住宅施工後の揮発性有機化合物発生量を推定するシミュレーション手段と、
を具備し、
前記シミュレーション手段は、
前記設計図面より前記建築部材毎の使用量を算出し、
前記設計図面より前記環境条件を算出し、
前記サーバを介して、前記データベースから、前記使用量と、前記環境条件に基づいて、前記揮発性有機化合物発生量を積算することを特徴とする設計支援システム。
【請求項３】
前記データベースは、
チャンバー法により前記揮発性有機化合物発生量を測定することを特徴とする請求項１、又は請求項２記載の設計支援システム。
【請求項４】
前記環境条件は、温度、湿度、空気循環量、施工時期、放置時間等の少なくともいずれか１つであることを特徴とする請求項１、又は請求項２記載の設計支援システム。
【請求項５】
前記空気循環量は、換気量であり、換気回数を含むことを特徴とする請求項１、又は請求項２記載の設計支援システム。
【請求項６】
前記揮発性有機化合物発生量は、
前記各化学物質の揮発性有機化合物発生量、及び／または総揮発性有機化合物発生量であることを特徴とする請求項１、又は請求項２記載の設計支援システム。
【請求項７】
さらに、
前記設計図面から、３次元画像データを生成し、表示する３次元表示手段と、
を具備することを特徴とする請求項１、又は請求項２記載の設計支援システム。
【請求項８】
さらに、
内装設計を入力する内装設計入力手段と、
を具備することを特徴と請求項１、又は請求項２記載の設計支援システム。
【請求項９】
前記シミュレーション手段は、さらに、
前記各化学物質の揮発性有機化合物発生量を低減するモデルのシミュレーションを行うことを特徴とする請求項１、又は請求項２記載の設計支援システム。
【請求項１０】
前記シミュレーション手段は、さらに、
前記揮発性有機化合物発生量の濃度を算出することを特徴とする請求項１、又は請求項２記載の設計支援システム。
【請求項１１】
前記建築部材は、天井材、壁材、壁紙、床材、造作部材、接着剤、ドア、収納扉等の少なくともいずれか１つであることを特徴とする請求項１、又は請求項２記載の設計支援システム。
【請求項１２】
クライアントの端末装置と、ネットワークを介して接続されたサーバであって、
建築部材毎に、環境条件に応じて測定した建築部材からの揮発性有機化合物発生量を保持するデータベースと、
前記端末装置からシミュレーション依頼要求と設計図面を受信する受信手段と、
住宅施工後の揮発性有機化合物発生量を推定するシミュレーション手段と、
前記揮発性有機化合物発生量を前記端末装置に送信する送信手段と、
を具備し、
前記シミュレーション手段は、
前記設計図面より前記建築部材毎の使用量を算出し、
前記設計図面より前記環境条件を算出し、
前記データベースから、前記使用量と、前記環境条件に基づいて、前記揮発性有機化合物発生量を積算することを特徴とするサーバ。
【請求項１３】
前記データベースは、
チャンバー法により前記揮発性有機化合物発生量を測定することを特徴とする請求項１２記載のサーバ。
【請求項１４】
前記環境条件は、温度、湿度、空気循環量、施工時期、放置時間等の少なくともいずれか１つであることを特徴とする請求項１２記載のサーバ。
【請求項１５】
前記空気循環量は、換気量であり、換気回数を含むことを特徴とする請求項１２記載のサーバ。
【請求項１６】
前記揮発性有機化合物発生量は、
前記各化学物質の揮発性有機化合物発生量、及び／または総揮発性有機化合物発生量であることを特徴とする請求項１２記載のサーバ。
【請求項１７】
さらに、
入力した設計図面から、３次元画像データを生成し、表示する３次元表示手段と、
を具備することを特徴とする請求項１２記載のサーバ。
【請求項１８】
さらに、
内装設計を入力する内装設計入力手段と、
を具備することを特徴とする請求項１２記載のサーバ。
【請求項１９】
前記シミュレーション手段は、さらに、
前記各化学物質の揮発性有機化合物発生量を低減するモデルのシミュレーションを行うことを特徴とする請求項１２記載のサーバ。
【請求項２０】
前記シミュレーション手段は、さらに、
前記揮発性有機化合物発生量の濃度を算出することを特徴とする請求項１２記載のサーバ。
【請求項２１】
前記建築部材は、天井材、壁材、壁紙、床材、造作部材、接着剤、ドア、収納扉等の少なくともいずれか１つであることを特徴とする請求項１２記載のサーバ。
【請求項２２】
建築部材毎に、環境条件に応じて測定した建築部材からの揮発性有機化合物発生量を保持するデータベースを有するサーバと、ネットワークを介して接続された端末装置であって、
設計図面を入力する入力手段と、
住宅施工後の揮発性有機化合物発生量を推定するシミュレーション手段と、
を具備し、
前記シミュレーション手段は、
前記設計図面より前記建築部材毎の使用量を算出し、
前記設計図面より前記環境条件を算出し、
前記サーバを介して、前記データベースから、前記使用量と、前記環境条件に基づいて、前記揮発性有機化合物発生量を積算することを特徴とする端末装置。
【請求項２３】
前記データベースは、
チャンバー法により前記揮発性有機化合物発生量を測定することを特徴とする請求項２２記載の端末装置。
【請求項２４】
前記環境条件は、温度、湿度、空気循環量、施工時期、放置時間等の少なくともいずれか１つであることを特徴とする請求項２２記載の端末装置。
【請求項２５】
前記空気循環量は、換気量であり、換気回数を含むことを特徴とする請求項２２記載の端末装置。
【請求項２６】
前記揮発性有機化合物発生量は、
前記各化学物質の揮発性有機化合物発生量、及び／または総揮発性有機化合物発生量であることを特徴とする請求項２２記載の端末装置。
【請求項２７】
さらに、
入力した設計図面から、３次元画像データを生成し、表示する３次元表示手段と、
を具備することを特徴とする請求項２２記載の端末装置。
【請求項２８】
さらに、
内装設計を入力する内装設計入力手段と、
を具備することを特徴とする請求項２２記載の端末装置。
【請求項２９】
前記シミュレーション手段は、さらに、
前記各化学物質の揮発性有機化合物発生量を低減するモデルのシミュレーションを行うことを特徴とする請求項２２記載の端末装置。
【請求項３０】
前記シミュレーション手段は、さらに、
前記揮発性有機化合物発生量の濃度を算出することを特徴とする請求項２２記載の端末装置。
【請求項３１】
前記建築部材は、天井材、壁材、壁紙、床材、造作部材、接着剤、ドア、収納扉等の少なくともいずれか１つであることを特徴とする請求項２２記載の端末装置。
【請求項３２】
コンピュータを請求項１２から請求項２１のいずれかに記載のサーバとして機能させるプログラム。
【請求項３３】
コンピュータを請求項１２から請求項２１のいずれかに記載のサーバとして機能させるプログラムを記録した記録媒体。
【請求項３４】
コンピュータを請求項２２から請求項３１のいずれかに記載の端末装置として機能させるプログラム。
【請求項３５】
コンピュータを請求項２２から請求項３１のいずれかに記載の端末装置として機能させるプログラムを記録した記録媒体。
【発明の詳細な説明】
【０００１】
【発明の属する技術分野】
本発明は、各建築部材からの揮発性有機化合物発生量を考慮した設計支援システムに関する。
【０００２】
【従来の技術】
昨今、化学製品による身体的トラブルが多く、深刻な課題である。特に、建材分野では「室内環境汚染（シックハウス）」に関して注目を集めている。行政は、室内環境汚染問題への対策として、例えば、室内に使用する建材からのホルムアルデヒド、シロアリ駆除剤が用途のクロルピリホスの発生規制に乗り出している。これらの２化学物質の室内への放出量を、先に決めた室内濃度指針値を基準値として、ホルムアルデヒドを発生する室内用塗料、接着剤、合板類、壁紙等の建材の使用を制限している。また、行政は、室内空気質に関し、総揮発性有機化合物（ＴＶＯＣ）及び各化学物質の指針値を提示している。
また、建築部材の揮発性有機化合物（ＶＯＣ）の測定は、チャンバー法により、個々の部材に関しては行える様になってきた。住空間全体の室内空気質の測定は、例えば、新築住宅では、所定の環境条件下で空気採取を行い、その空気質のサンプルを測定分析し確認していた。
【０００３】
また、従来の設計支援システムは、ネットワークを介して、ユーザが住空間の間取りを自由に設計したり、間取りを３次元で閲覧したりするシステムが幾つか存在する（例えば、特許文献１参照）。
【０００４】
【特許文献１】
特開２００２−１６３３０８号公報（第４−５頁）
【０００５】
【発明が解決しようとする課題】
しかしながら、従来の方法では、建築部材単体の測定データはあるが、住空間全体の測定データは、施工後の空気質のサンプルでの測定分析したデータであるため、例えば、実際建物を施工した後で測定した値が基準より悪かったとしても、設計当初になかった換気装置を後付けしたり、その他基準値を下げるための対応や補償を余儀なくされるという問題があった。設計段階での揮発性有機化合物（ＶＯＣ）の予測ができれば、材料の変更、換気装置の設置等の設計変更が可能であった。
また、従来の設計支援システムでは、設計した間取りから、住空間の各種化学物質の揮発性有機化合物（ＶＯＣ）発生量を推定するシステムはなかった。
【０００６】
本発明は、以上の点に鑑みてなされたものであり、住宅施工の設計段階での揮発性有機化合物（ＶＯＣ）の発生量推移のシミュレーションを可能とする設計支援システムを提供することを目的とする。
【０００７】
【課題を解決するための手段】
前述した目的を達成するために第１の発明は、住宅設計を支援するシステムであって、建築部材毎に、環境条件に応じて測定した建築部材からの揮発性有機化合物発生量を保持するデータベースと、設計図面を入力する入力手段と、住宅施工後の揮発性有機化合物発生量を推定するシミュレーション手段と、を具備し、前記シミュレーション手段は、前記設計図面より前記建築部材毎の使用量を算出し、前記設計図面より前記環境条件を算出し、前記データベースから、前記使用量と、前記環境条件に基づいて、前記揮発性有機化合物発生量を積算することを特徴とする設計支援システムである。
【０００８】
また、第２の発明は、クライアントの端末装置と、サーバと、がネットワークを介して接続されシステムであって、前記サーバは、建築部材毎に、環境条件に応じて測定した建築部材からの揮発性有機化合物発生量を保持するデータベースと、を具備し、前記端末装置は、設計図面を入力する入力手段と、住宅施工後の揮発性有機化合物発生量を推定するシミュレーション手段と、を具備し、前記シミュレーション手段は、前記設計図面より前記建築部材毎の使用量を算出し、前記設計図面より前記環境条件を算出し、前記サーバを介して、前記データベースから、前記使用量と、前記環境条件に基づいて、前記揮発性有機化合物発生量を積算することを特徴とする設計支援システムである。
【０００９】
また、前記設計支援システムは、さらに、前記設計図面から、３次元画像データを生成し、表示する３次元表示手段と、内装設計を入力する内装設計入力手段と、を具備することが望ましい。
また、前記シミュレーション手段は、さらに、前記各化学物質の揮発性有機化合物の発生量を低減するモデルのシミュレーションを行うことを具備することが望ましい。
【００１０】
第１の発明では、建築部材毎に、環境条件に応じて測定した建築部材からの揮発性有機化合物発生量を保持するデータベースを有し、設計図面を入力し、設計図面より建築部材毎の使用量を算出し、設計図面より環境条件を算出し、データベースから、前記使用量と、前記環境条件に基づいて、揮発性有機化合物発生量を積算し、住宅施工後の揮発性有機化合物発生量を推定する。
【００１１】
第２の発明では、サーバは、建築部材毎に、環境条件に応じて測定した揮発性有機化合物発生量を保持するデータベースを有し、端末装置は、設計図面を入力し、設計図面より建築部材毎の使用量を算出し、設計図面より環境条件を算出し、サーバを介して、データベースから、使用量、環境条件に基づいた、揮発性有機化合物発生量を積算し、住宅施工後の揮発性有機化合物発生量を推定する。
【００１２】
「揮発性有機化合物（ＶＯＣ）」は、建材・内装材、包装材等の各種製品に利用されており、これらの建材・内装材、包装材等の各種製品からＶＯＣが発生され、住宅、生活に持ち込まれ、室内空気汚染等を起こす。個別化学物質として、例えば、合板等の木質基材に含有するホルムアルデヒド、塗料、インキ等の溶剤に使用されるトルエン・キシレン・エチルベンゼン、防虫剤に使用されるパラジクロロベンゼン等、その他様々の化学物質がある。
「揮発性有機化合物発生量」とは、各化学物質の揮発性有機化合物発生量、総揮発性有機化合物発生量である。
「チャンバー法による測定」とは、チャンバーの中にシールボックスにセットした試験材を設置し、空気を供給し、そこから発生する揮発性有機化合物（ＶＯＣ）を吸着管に捕捉し、この吸着管を分析、測定する方法である。
チャンバー法には、大型チャンバー法、小型チャンバー法等がある。大型チャンバー法は、チャンバーのサイズが２２ｍ３以上であり、家具等をそのまま測定できる。小型チャンバー法は、チャンバーのサイズは２０Ｌから１ｍ３であり、試験材を一定にするため、比較データとして利用可能であり、一定空間中に放散される濃度、速度等が測定できる。また、チャンバーが小さいため、大型チャンバー法等に比べ、洗浄（チャーバー表面に付着したＶＯＣの除去）が容易であり、装置、設備コストが低減される。また、その他に、試験材とセルで密閉空間を作り、セル内にあたる部分からの放散量、速度等を測定するセル型チャンバー法がある。
【００１３】
「環境条件」は、温度、湿度、空気循環量、施工時期、放置時間等である。
「空気循環量」は、換気量であり、換気回数を含む。
「建築部材」は、天井材、壁材、壁紙、床材、造作部材、接着剤、ドア、収納扉等である。
「内装設計」は、壁紙、ペインティング、換気装置等の設計を行うものである。
【００１４】
第１の発明と第２の発明では、設計段階で、施工後の室内空気質の状況を予測でき、設計段階でユーザの意識が反映でき、材料の変更、換気装置の設置等の設計変更が可能となり、業者、ユーザ間の施工後のトラブルが解消することを可能とし、さらに、第２の発明では、インターネット等のネットワークを介して、複数の形態のシミュレーションの実施することにより、新しい販売チャンネルを広げることができる。
【００１５】
第３の発明は、クライアントの端末装置と、ネットワークを介して接続されたサーバであって、建築部材毎に、環境条件に応じて測定した建築部材からの揮発性有機化合物発生量を保持するデータベースと、前記端末装置からシミュレーション依頼要求と設計図面を受信する受信手段と、住宅施工後の揮発性有機化合物発生量を推定するシミュレーション手段と、前記揮発性有機化合物発生量を前記端末装置に送信する送信手段と、を具備し、前記シミュレーション手段は、前記設計図面より前記建築部材毎の使用量を算出し、前記設計図面より前記環境条件を算出し、前記データベースから、前記使用量と、前記環境条件に基づいて、前記揮発性有機化合物発生量を積算することを特徴とするサーバである。
【００１６】
第３の発明では、サーバは、建築部材毎に、複数の環境条件に応じて測定した揮発性有機化合物発生量を保持するデータベースを有し、端末装置からシミュレーション依頼要求と設計図面を受信し、設計図面より建築部材毎の使用量を算出し、設計図面より環境条件を算出し、データベースから、使用量、環境条件に基づいて、揮発性有機化合物発生量を積算することにより、住宅施工後の揮発性有機化合物発生量を推定し、シミュレーション結果を端末装置に送信する。
【００１７】
第４の発明は、建築部材毎に、環境条件に応じて測定した建築部材からの揮発性有機化合物発生量を保持するデータベースを有するサーバと、ネットワークを介して接続された端末装置であって、設計図面を入力する入力手段と、住宅施工後の揮発性有機化合物発生量を推定するシミュレーション手段と、を具備し、前記シミュレーション手段は、前記設計図面より前記建築部材毎の使用量を算出し、前記設計図面より前記環境条件を算出し、前記サーバを介して、前記データベースから、前記使用量と、前記環境条件に基づいて、前記揮発性有機化合物発生量を積算することを特徴とする端末装置である。
【００１８】
第４の発明は、第２の発明の並列処理システムで用いられる端末装置に関する発明である。
【００１９】
第５の発明は、コンピュータを第３の発明のサーバとして機能させるプログラムである。
第６の発明は、コンピュータを第３の発明のサーバとして機能させるプログラムを記録した記録媒体である。
【００２０】
第７の発明は、コンピュータを第４の発明の端末装置として機能させるプログラムである。
第８の発明は、コンピュータを第４の発明の端末装置として機能させるプログラムを記録した記録媒体である。
【００２１】
上述のプログラムをＣＤ−ＲＯＭ等の記録媒体に保持させて流通させてもよいし、このプログラムを通信回線を介して送受することもできる。
【００２２】
【発明の実施の形態】
以下に、添付図面を参照しながら、本発明に係る設計支援システム１の好適な実施形態について詳細に説明する。なお、以下の説明及び添付図面において、略同一の機能構成を有する構成要素については、同一の符号を付することにより重複説明を省略することにする。
【００２３】
図１は、第１の実施の形態に係る設計支援システム１の概略構成を示す図である。設計支援システム１は、建築部材毎に測定した揮発性有機化合物発生量を保持するデータベースを用いて、入力した設計図面から、揮発性有機化合物（以降、ＶＯＣ（Ｖｏｌａｔｉｌｅ　Ｏｒｇａｎｉｃ　Ｃｏｍｐｕｎｄ）と称す）の発生量推移のシミュレーションを行うものである。
【００２４】
図１に示すように、設計支援システム１は、処理端末装置２、スキャナ３、部材ＶＯＣデータベース４、処理プログラム群５等から構成される。尚、本実施の形態では、設計図面をスキャナ３から入力したが、ＣＡＤ（ｃｏｍｐｕｔｅｒ−ａｉｄｅｄ　ｄｅｓｉｇｎ）等を用いて入力してもよい。
【００２５】
処理端末装置２は、パーソナルコンピュータや携帯情報端末（Ｐｅｒｓｏｎａｌ　Ｄｉｇｉｔａｌ　Ａｓｓｉｓｔａｎｔ）等であり、スキャナ３等から入力した設計図面６に基づいて、３次元画像データを生成・表示し、内装デザインを入力し、記設計図面６より建築部材毎の使用量や、温度、湿度、空気循環量、放置時間等の環境条件を算出し、部材ＶＯＣデータベース４から、使用量、環境条件に基づいて、各化学物質の揮発性有機化合物と、総揮発性有機化合物の発生量を算出し、発生量推移のシミュレーションを行う。
【００２６】
スキャナ３は、２次元の設計図面６を入力し、設計図面データを生成する。
処理プログラム群５は、処理端末装置２の処理を機能させるプログラムであり、３次元表示ソフトウェア、ＶＯＣ積算ソフトウェア等である。
部材ＶＯＣデータベース４には、チャンバー法で測定した建築部材毎に住宅施工の各種環境条件に基づいたＶＯＣ発生量を保持する。
【００２７】
次に、部材ＶＯＣデータベース４のデータ構造と、データベース構築について詳しく説明する。図２は、部材ＶＯＣデータベース４のデータ構造を示す。
【００２８】
図２に示すように、部材ＶＯＣデータベース４は、複数の部材データ１０−１、１０−２、…からなる。部材データ１０は、チャンバー法で測定した各種建築部材に関するデータである。部材データ１０は、部材種別１１、部材ＩＤ１２、温度／湿度／空気循環量／放置時間等の複数の環境条件（又は、一定の環境条件）に応じた複数のＶＯＣ測定データ１３等からなる。
【００２９】
部材種別１１は、部材の種類であり、天井材、壁材、壁紙、床材、造作部材、接着剤、ドア、収納扉等がある。部材ＩＤ１２は、部材の識別情報である。ＶＯＣ測定データ１３は、住宅施工の温度／湿度／空気循環量／放置時間等の複数の環境条件（又は、一定の環境条件）に応じたチャンバー法で測定したＶＯＣ発生量のデータである。例えば、ＶＯＣ測定データ１３は、各部材を、１８℃、２８℃、４０℃でのデータを１週間、一定時間毎に測定したデータである。
【００３０】
次に、建築部材毎のチャンバー法によるＶＯＣ発生量のデータの測定、及び部材ＶＯＣデータベース４の構築の処理手順を示す。図３は、ＶＯＣ発生データの測定、及び部材ＶＯＣデータベース４の構築の処理手順を示すフローチャートである。
【００３１】
図３に示すように、試験対象の部材（試験材）２２をシールボックス２０に設置する（ステップ３０１）。
【００３２】
次に、シールボックスの構造を示す。図４は、シールボックス２０の構造を示す。図４に示すように、シールボックス２０は、表のシールボックス２０ａ、裏のシールボックス２０ｂ、表のテフロン（登録商標）板（パッキン）２１ａ、裏のテフロン（登録商標）板（パッキン）２１ｂ、部材（試験材）２２、ステンレス板２３、部材（試験材）固定用ネジ２４（４本）、シールボックス蓋固定ネジ２５（１２本）等からなる。
【００３３】
シールボックス２０には、裏面に裏のシールボックス２０ｂが設けられ、裏のシールボックス２０ｂの前面には、裏のテフロン（登録商標）板２１ｂが設けられる。裏のテフロン（登録商標）板２１ｂの前面に、ステンレス板２３が設けられ、ステンレス板２３前面には、試験対象となる部材２２が設けられる。部材２２の前面には、表のテフロン（登録商標）板２１ａが設けられ、その前面に表のシールボックス２０ａが設けられる。シールボックス２０に部材（試験材）２２を設置し、部材固定用ネジ２４、シールボックス蓋固定用ネジ２５等で、裏面からネジ止めをする。
【００３４】
図５は、小型チャンバー３５へのシールボックス２０設置を示す。図３、図５に示すように、小型チャンバー３５に、部材（試験材）２２を組み込んだシールボックス２０を設置する（ステップ３０２）。
【００３５】
チャンバー法により、ＶＯＣ発生量測定装置３０は、部材２２のＶＯＣ発生データを測定する（ステップ３０３）。
【００３６】
図６は、ＶＯＣ発生量測定装置３０の概略構成を示す。図６に示すように、ＶＯＣ発生量測定システム３０は、ケミカルクリーン空気供給装置３１、恒温槽３２、湿度コントローラ３３、混合機３４、小型チャンバー３５、吸着管３６、サンプリングポンプ３７、テフロン（登録商標）管３８等から構成される。恒温槽３２は、湿度コントローラ３３、混合機３４、小型チャンバー３５、吸着管３６等を有する。
【００３７】
ＶＯＣ発生量測定システム３０は、ケミカルクリーン空気供給装置３１から、恒温槽３２内の湿度コントローラ３３、混合機３４等を介して、小型チャンバー３５まで、ケミカルクリーン空気を供給するために、テフロン（登録商標）管３８を接続し、更に、小型チャンバー３５の排気側に、データ測定時に吸着管３６、サンプリングポンプ３７等を設置し、テフロン（登録商標）管３８で接続する。ＶＯＣ発生量測定システム３０は、小型チャンバー３５の内部に空気を供給し、ＶＯＣを吸着管３６に捕捉し、吸着管３６を加熱脱着―ガスクロマトグラフ（ＧＣ）法、溶媒抽出―ガスクロマトグラフ法、溶媒抽出―高速液体クロマトグラフ（ＨＰＬＣ）法等で分析するものである。
各ガスクロマトグラフ法の検出器には、例えば、質量分析器、水素炎イオン化検出器、電子捕獲検出器、炎光光度検出器、熱イオン化検出器、熱伝導度検出器等を用いてもよい。液体ロマトグラフ法の検出器には、紫外線検出器、示差屈折率計検出器、蛍光高度計検出器、電気化学検出器、電気伝導度検出器等が用いられる。
【００３８】
測定対象となる各種部材２２について、ステップ３０１からステップ３０３の処理を繰り返す。測定終了後、測定した各部材毎のＶＯＣ発生データと、各環境条件から部材ＶＯＣデータベース４を構築する（ステップ３０４）。
【００３９】
次に、設計支援システム１の部材ＶＯＣデータベース４を用いたＶＯＣ発生量推移のシミュレーションを行う処理手順を詳しく説明する。図７は、設計支援システム１の処理手順を示すフローチャートである。図８は、設計支援システム１の処理の流れを示す。
【００４０】
図７に示すように、処理端末装置２は、設計図面をスキャナ３等で入力する（ステップ７０１）。
例えば、図８に示すように、処理端末装置２は、スキャナ３から平面図の設計図面４０を入力する（ステップ８０１）。設計図面４０は、洋間、収納スペース４１、窓４２ａ、壁４３ａ、扉４４ａ等から構成される。尚、本実施の形態では、設計図面をスキャナ３から入力したが、設計ソフトウェア等を用いて入力、作成してもよい。
【００４１】
処理端末装置２は、入力した２次元の設計図面より、３次元画像データを生成し、立体間取りを表示する（ステップ７０２）。
例えば、図８に示すように、処理端末装置２は、３次元画像データを生成し（ステップ８０２）、３次元の立体間取り４６を表示する（ステップ８０３）。例えば、平面図である設計図面４０上の窓４２ａ、壁４３ａ、扉４４ａ等は、高さ情報が直接加わり、立体間取り４６では効果的に窓４２ｂ、壁４３ｂ、扉４４ｂ等が表示される。
【００４２】
処理端末装置２は、マウス等により、壁紙、ペインティング、換気装置等の内装デザインを入力する（ステップ７０３）。
例えば、図８に示すように、壁紙を指定する場合、処理端末装置２は、立体間取り４６の壁４３ｂをマウスカーソル４５等で選択して、壁紙を指定する。この時の壁紙は、部材ＶＯＣデータベース４にデータが格納されているものである（ステップ８０４）。
【００４３】
処理端末装置２は、設計図面より、個々の部材の使用量を算出する（ステップ７０４）。また、処理端末装置２は、設計図面より、空気循環量（換気量）を算出する（ステップ７０５）。尚、空気循環量は、換気回数を含む。
【００４４】
処理端末装置２は、施工時期の室内温度、湿度、空気循環量、使用量等に基づいて、部材ＶＯＣデータベース４を用いて、総揮発性有機化合物（ＴＶＯＣ）、各化学物質のＶＯＣの発生量を算出し、放置時間の時間軸に従って、シミュレーションを行う（ステップ７０６）。
【００４５】
処理端末装置２は、総揮発性有機化合物（ＴＶＯＣ）、各化学物質のＶＯＣの発生量、濃度等のシミュレーン結果を表示する（ステップ７０７）。
例えば、図８に示すように、処理端末装置２は、シミュレーション結果として総揮発性有機化合物（ＴＶＯＣ）、各化学物質のＶＯＣの濃度を算出し、ＶＯＣデータ表示画面４７を表示する（ステップ８０５）。ＶＯＣデータ表示画面４７は、各化学物質（例えば、ホルムアルデヒド、トルエン等）のＶＯＣ濃度４８−１、４８−２、ＴＶＯＣ濃度４９等からなる。
【００４６】
処理端末装置２は、ＴＶＯＣ、各ＶＯＣ濃度８は、それぞれ基準値以内か判定し（ステップ７０８）、基準値を超える場合（ステップ７０８のＮｏの場合）、設計変更（又は内装デザイン変更）を行い（ステップ７０９）、再度、ステップ７０１（又はステップ７０２）からステップ７０７の処理を行う。
例えば、ＶＯＣデータ表示画面４７のトルエンのＶＯＣ濃度４８−２は、「２００μｇ／ｍ３」であり、トルエンの指針値である基準値「２６０μｇ／ｍ３」以内であるが、ホルムアルデヒドのＶＯＣ濃度４８−１は、「１１０μｇ／ｍ３」であり、ホルムアルデヒドの指針値である基準値「１００μｇ／ｍ３」を超えている。この場合、ホルムアルデヒドのＶＯＣ発生量を低減するような設計変更を行い、再度、ステップ７０１からステップ７０７のシミュレーション処理を行う。また、内装デザイン変更を行い、再度、ステップ７０２からステップ７０７のシミュレーション処理を行ってもよい。
【００４７】
また、図３、図７等に示す処理を行うプログラムはＣＤ−ＲＯＭ等の記録媒体に保持させて流通させてもよいし、このプログラムを通信回線を介して送受することもできる。
【００４８】
以上説明したように、本発明の本実施の形態によれば、建築部材毎に、チャンバー法で測定した揮発性有機化合物発生量を保持する部材ＶＯＣデータベース４を構築し、入力した設計図面から、各部材毎の使用量、住宅施工から入居までの温度、湿度、空気循環量、放置時間等の環境条件を算出し、部材ＶＯＣデータベース４を用いて、ＶＯＣの発生量推移のシミュレーションを行う。
【００４９】
これにより、設計段階で、施工後の室内空気質の状況を予測でき、設計段階でユーザの希望が反映され、材料の変更、換気装置の設置等の設計変更が可能となり、業者、ユーザ間の施工後のトラブルが解消できる。
【００５０】
次に、第２の実施の形態について詳細に説明する。図９は、第２の実施の形態に係る設計支援システム１０１の概略構成を示す図である。設計支援システム１０１は、クライアント１０２と、サーバ１０５とが、ネットワーク１１０を介して、接続されたシステムであり、クライアント１０２側から、サーバ１０５側に有する建築部材毎に測定したＶＯＣ発生量を保持するデータベースを用いて、入力した設計図面から、ＶＯＣの発生量推移のシミュレーションを行うものである。
【００５１】
図９に示すように、設計支援システム１０１は、クライアント１０２の処理端末装置１０３、サーバ１０５等が、ネットワーク１１０を介して接続されて構成される。ネットワーク１１０は、インターネット等のネットワークである。
【００５２】
クライアント１０２は、住宅施工後のＶＯＣ発生量のシミュレーションを行う利用者であり、処理端末装置１０３は、スキャナ１０４を有する。端末装置１０３は、スキャナ１０４より設計図面１０９を入力し、ネットワーク１１０を介して、サーバ１０５にシミュレーション依頼と、設計図面データ１１２を送信し、サーバ１０５からシミュレーション結果データ１１３を表示する。尚、処理端末装置１０３は、パーソナルコンピュータ、携帯型端末機等である。
スキャナ１０４は、２次元の設計図面１０９を入力し、設計図面データを生成する。
【００５３】
サーバ１０５は、スキャナ１０６、部材ＶＯＣデータベース１０７と、処理プログラム群１０８等を有する。サーバ１０５は、処理端末装置１０３からのシミュレーション依頼により、受信した設計図面データ１１２に基づいて、住宅施工後のＶＯＣ発生量を算出し、シミュレーション結果データ１１３を処理端末装置１０３に送信する。
【００５４】
部材ＶＯＣデータベース１０７には、チャンバー法で測定した建築部材毎に住宅施工の各種環境条件に基づいたＶＯＣ発生量を保持する。部材ＶＯＣデータベース１０７のデータ構造は、部材ＶＯＣデータベース４と同様の形式である。
スキャナ１０６は、クライアント１０２より郵送で送られた設計図面１０９を入力する。
処理プログラム群１０８は、３次元表示ソフトウェア、ＶＯＣ積算ソフトウェア等である。
【００５５】
次に、設計支援システム１０１の処理手順を詳しく説明する。図１０は、設計支援システム１０１の処理手順を示すフローチャートである。
【００５６】
図１０に示すように、処理端末装置１０３は、所定のホームページ等をアクセスし、サーバ１０５に対して、シミュレーション依頼を行う（ステップ１００１）。
サーバ１０５は、シミュレーション形態、設計図面等の必要なデータの入力要求のシミュレーションメニュを送信する（ステップ１００２）。
【００５７】
処理端末装置１０３は、表示されたシミュレーションメニュに従って、シミュレーション形態１１１を選択し、その他の必要なデータを入力する（ステップ１００３）。
図９に示すように、シミュレーション形態１１１には、設計シミュレーション１１１−１、改修シミュレーション１１１−２、設置家具アドバイス１１１−３、工期シミュレーション１１１−４等がある。
【００５８】
設計シミュレーション１１１−１は、新築住宅の間取り、内装デザインに対するＶＯＣ発生量のシミュレーションである。改修シミュレーション１１１−２は、住宅改築（リフォーム）の内装デザイン変更等に対するＶＯＣ発生量のシミュレーションである。設置家具アドバイス１１１−３は、新築住宅、又は住宅改修後の持ち込む家具や、備え付け家具に対するＶＯＣ発生量の低減のアドバイスを行うものである。工期シミュレーション１１１−４は、住宅施工時の施工途中段階から入居まで、時系列のＶＯＣ発生量推移のシミュレーションを行う。
例えば、図９に示すように、処理端末装置１０３は、シミュレーション形態として設計シミュレーション１１１−１を選択する。
【００５９】
処理端末装置１０３は、設計図面１０９をスキャナ１０４等で入力し、２次元の設計図面データ１１２を生成する（ステップ１００４）。尚、本実施の形態では、設計図面をスキャナ１０４から入力したが、設計ソフトウェア等を用いて入力、作成してもよい。
【００６０】
処理端末装置１０３は、シミュレーション形態１１１等の入力データ、２次元の設計図面データ１１２等を、ネットワーク１１０を介して、サーバ１０５に送信する（ステップ１００５）。
サーバ１０５は、受け取ったシミュレーション形態１１１に応じて、設計図面データ１１２から算出した使用量、各環境条件等により、部材ＶＯＣデータベース１０７を用いて、ＶＯＣ発生量の推移のシミュレーションを行う（ステップ１００６）。
【００６１】
サーバ１０５は、処理端末装置１０３にシミュレーション結果データ１１３を送信する（ステップ１００７）。
処理端末装置１０３は、受け取ったシミュレーション結果データ１１３を表示、出力する（ステップ１００８）。
【００６２】
尚、本実施の形態では、サーバ１０５が、部材ＶＯＣデータベース１０７と、処理プログラム群１０８等を有し、ネットワーク１１０を介して、クライアント１０２側の処理端末装置１０３からアクセスしたが、サーバ１０５側に部材ＶＯＣデータベース１０７を有し、クライアント１０２側の処理端末装置１０３がダウンロードやインストール等により処理プログラム群１０８を有し、処理端末装置１０３が、処理プログラム群１０８を起動し、サーバ１０５側の部材ＶＯＣデータベース１０７を利用する形態をとってもよい。
【００６３】
また、部材ＶＯＣデータベース１０７を核として、建築部材（例えば、壁紙）の製品群のカタログデータベースを作成し、ＣＤ−ＲＯＭとして販売することもできる。
次に、製品化した部材カタログデータベース１２０のデータ構造を説明する。図１１は、部材カタログデータベース１２０のデータ構造を示す。
図１１に示すように、部材カタログデータベース１２０は、部材種別１３１、部材ＩＤ１３２、部材名称１３３、部材単価１３４、部材材質１３５、ＶＯＣ測定データ１３６、ＶＯＣ発生量に応じたポイント１３７、カタログ表示用部材画像データ１３８等からなる。
【００６４】
部材種別１３１は、部材の種類であり、天井材、壁材、壁紙、床材、造作部材、接着剤、ドア、収納扉等がある。部材ＩＤ１３２は、部材の識別情報である。部材名称１３３は、部材の名称である。部材単価１３４は、部材の単位量あたりの値段である。部材材質１３５は、部材の色、模様等である。ＶＯＣ測定データ１３６は、住宅施工の各種環境条件の要素である温度／湿度／空気循環量／放置時間等に応じたチャンバー法で測定したＶＯＣ発生量のデータである。ＶＯＣ発生量に応じたポイント１３７は、ＶＯＣ測定データ１３６を段階別にポイント化した数値であり、例えば、ＶＯＣ測定データの高いものはポイントを高くし、低いものはポイントを低くする。カタログ表示用部材画像データ１３８は、カタログとして画面表示するための画像データである。
【００６５】
以上説明したように、本発明の本実施の形態によれば、サーバ１０５は、建築部材毎に、チャンバー法で測定した揮発性有機化合物発生量を保持する部材ＶＯＣデータベース１０７を構築し、クライアント１０２側の処理端末装置１０３は、ネットワーク１１０を介して、サーバ１０５に、シミュレーション依頼を送信し、サーバ１０５は、受け取った設計図面データから、各部材毎の使用量、住宅施工から入居までの温度、湿度、空気循環量、放置時間等の環境条件を算出し、部材ＶＯＣデータベース４を用いて、ＶＯＣの発生量推移のシミュレーションを行い、処理端末装置１０３にシミュレーション結果を送信する。
【００６６】
これにより、設計段階で、施工後の室内空気質の状況を予測でき、設計段階でユーザの希望が反映され、材料の変更、換気装置の設置等の設計変更が可能となり、業者、ユーザ間の施工後のトラブルが解消できる。
また、インターネット等のネットワークを介して、複数の形態のシミュレーションの実施や、製品カタログデータベースのＣＤ−ＲＯＭ販売等により、新しい販売チャンネルを広げることができる。
【００６７】
以上、添付図面を参照しながら、本発明に係る設計支援システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【００６８】
また、図１０に示す処理を行うプログラムはＣＤ−ＲＯＭ等の記録媒体に保持させて流通させてもよいし、このプログラムを通信回線を介して送受することもできる。
【００６９】
【発明の効果】
以上、詳細に説明したように本発明によれば、住宅施工の設計段階での揮発性有機化合物（ＶＯＣ）の発生量推移のシミュレーションを可能とする設計支援システムを提供することができる。
【図面の簡単な説明】
【図１】第１の実施の形態に係る設計支援システム１の概略構成を示す図
【図２】部材ＶＯＣデータベース４のデータ構造を示す図
【図３】ＶＯＣデータの測定、及び部材ＶＯＣデータベース４の構築の処理手順を示すフローチャート
【図４】シールボックス２０の構造を示す図
【図５】小型チャンバー３５へのシールボックス２０設置を示す図
【図６】ＶＯＣ発生量測定装置３０の概略構成を示す図
【図７】設計支援システム１の処理手順を示すフローチャート
【図８】設計支援システム１の処理の流れを示す図
【図９】第２の実施の形態に係る設計支援システム１０１の概略構成を示す図
【図１０】設計支援システム１０１の処理手順を示すフローチャート
【図１１】部材カタログデータベース１２０のデータ構造を示す図
【符号の説明】
１、１０１………設計支援システム
２、１０３………処理端末装置
３、１０４、１０６………スキャナ
４、１０７………部材ＶＯＣデータベース
５、１０８………処理プログラム群
６、１０９………設計図面
１０２………クライアント
１０５………サーバ
１１０………ネットワーク
【図１】
2004110468.tif 000003
【図２】
2004110468.tif 000004
【図３】
2004110468.tif 000005
【図４】
2004110468.tif 000006
【図５】
2004110468.tif 000007
【図６】
2004110468.tif 000008
【図７】
2004110468.tif 000009
【図８】
2004110468.tif 000010
【図９】
2004110468.tif 000011
【図１０】
2004110468.tif 000012
【図１１】
2004110468.tif 000013